(57)【要約】【課題】  無線タグの記録データを適正に閲覧することを目的とする。【解決手段】  無線タグ３に記録された記録データの読み込みを行う無線タグ用制御部１２と、この無線タグ用制御部１２により読み込まれた記録データを格納するメモリ１３と、このメモリ１３に格納された前記記録データをヘッドマウントディスプレイ１６に表示させる場合、当該記録データを表示する旨の許可を上位装置２から得たことを条件に、メモリ１３から読み出した前記記録データの全部または一部をヘッドマウントディスプレイ１６に表示させる指示を行う表示制御部１４とを備えた。【選択図】      図２
2006106228.tif 000002
【特許請求の範囲】
【請求項１】
無線タグに記録された記録データの読み込みを行う無線タグ用制御部と、この無線タグ用制御部により読み込まれた記録データを格納する記憶部と、この記憶部に格納された前記記録データを表示部に表示させる場合、当該記録データを表示する旨の許可を上位装置から得たことを条件に、前記記憶部から読み出した前記記録データの全部または一部を前記表示部に表示させる指示を行う表示制御部と
を備えたことを特徴とする携帯型コンピュータ。
【請求項２】
前記上位装置には、前記記録データの全部または一部について、その閲覧を制限する利用場所が予め設定されており、
前記表示制御部は、
前記記録データの全部または一部を前記表示部に表示させる際に、利用者の現在位置を示す位置情報を前記上位装置に送信し、
前記記録データのうち、前記上位装置に送信した前記位置情報に対応する前記利用場所で許可された前記記録データのみを前記表示部に表示させることを特徴とする請求項１に記載の携帯型コンピュータ。
【請求項３】
前記上位装置には、前記記録データの全部または一部について、その閲覧を制限する利用者が予め設定されており、
前記表示制御部は、
前記記録データの全部または一部を前記表示部に表示させる際に、利用者の識別情報を前記上位装置に送信し、
前記記録データのうち、前記上位装置に送信した前記識別情報の当該利用者に許可された前記記録データのみを前記表示部に表示させることを特徴とする請求項１に記載の携帯型コンピュータ。
【請求項４】
前記上位装置には、前記記録データの全部または一部について、その閲覧が可能な携帯型コンピュータが予め設定されており、
前記表示制御部は、
前記記録データの全部または一部を前記表示部に表示させる際に、自己の携帯型コンピュータの識別情報を前記上位装置に送信し、
前記記録データのうち、前記上位装置に送信した前記識別情報の当該携帯型コンピュータに許可された前記記録データのみを前記表示部に表示させることを特徴とする請求項１に記載の携帯型コンピュータ。
【請求項５】
請求項２に記載の携帯型コンピュータにおいて、さらに、前記無線タグとの距離を計測する計測部を備え、
前記表示制御部は、前記許可された前記記録データを前記表示部に表示させる場合、前記計測部によって計測された距離が予め設定された距離になったときに表示させることを特徴とする携帯型コンピュータ。
【請求項６】
前記記録データには、複数のデータ項目が含んで構成され、前記記憶部には、前記記録データに含まれるデータ項目ごとに、その閲覧の可否が設定されており、
前記表示制御部は、前記記録データの全部または一部を前記表示部に表示させる際に、その記録データに含まれるデータ項目のうち、前記記憶部で閲覧が許可されたデータ項目のみを表示させることを特徴とする請求項１に記載の携帯型コンピュータ。
【請求項７】
前記記録データには、複数のデータ項目が含んで構成され、前記記憶部には、前記記録データに含まれるデータ項目ごとに、その閲覧を制限する利用制限項目が設定されており、
前記表示制御部は、前記記録データの全部または一部を前記表示部に表示させる際に、その記録データに含まれるデータ項目のうち、前記記憶部で閲覧が制限されていない利用制限項目に対応するデータ項目のみを表示させることを特徴とする請求項１に記載の携帯型コンピュータ。
【請求項８】
無線タグに記録された記録データの読み込みを行う無線タグ用制御部と、この無線タグ用制御部により読み込まれた記録データを格納する記憶部と、この記憶部に格納された前記記録データを表示部に表示させる場合、操作者に固有の情報あるいは位置等の操作に付随する情報に応じて、前記記録データからその全部または一部を選択して表示する表示制御部と
を備えたことを特徴とする携帯型コンピュータ。
【請求項９】
無線タグに記録された記録データの読み込みを行う無線タグ用制御部と、この無線タグ用制御部により読み込まれた記録データを格納する記憶部と、前記記憶部に格納された前記記録データを表示部に表示させる表示制御部とを備えた携帯型コンピュータにおける無線タグのデータ表示方法であって、
前記表示制御部は、前記記憶部に格納された前記記録データを表示部に表示させる場合、前記記録データを表示する旨の許可を上位装置から得たことを条件に、前記記憶部から読み出した前記記録データの全部または一部を前記表示部に表示させる指示を行う
ことを特徴とする無線タグのデータ表示方法。
【請求項１０】
無線タグに記録された記録データの読み込みを行う無線タグ用制御部と、この無線タグ用制御部により読み込まれた記録データを格納する記憶部と、前記記憶部に格納された前記記録データを表示部に表示させる表示制御部とを備えた携帯型コンピュータにおける無線タグのデータ表示方法であって、
前記表示制御部は、前記記憶部に格納された前記記録データを表示部に表示させる場合、操作者に固有の情報あるいは操作者の操作環境に応じて、前記記録データからその全部または一部を選択して表示制限する
ことを特徴とする無線タグのデータ表示方法。
【発明の詳細な説明】
【技術分野】
【０００１】
本発明は、携帯型コンピュータに係り、特に、無線タグとの通信機能を有する携帯型コンピュータに関するものである。
【背景技術】
【０００２】
近年、無線タグを用いる技術が活用されている。この無線タグにより、電波を通じてデータキャリアを認識することが可能となり、無線タグは、バーコードに代わる次世代の個体認識素子として期待されている。このような状況において、従来、無線タグに記録されているタグ情報を直接読み出して表示する無線タグが知られている（例えば、特許文献１参照）。
【特許文献１】特開２００２−２３６８９１号公報（段落０００８−０００９、図１）
【発明の開示】
【発明が解決しようとする課題】
【０００３】
しかしながら、特許文献１に開示された発明によれば、無線タグに記録されたデータについての閲覧制限を課すことができないという不都合があった。
【０００４】
そこで、本発明は、前記した課題を解決するためになされたものであり、その目的は、無線タグの記録データを適正に閲覧することが可能な携帯型コンピュータおよび無線タグのデータ表示方法を提供することである。
【課題を解決するための手段】
【０００５】
前記した課題を解決するために本発明は、無線タグに記録された記録データの読み込みを行う無線タグ用制御部と、この無線タグ用制御部により読み込まれた記録データを格納する記憶部と、この記憶部に格納された前記記録データを表示部に表示させる場合、当該記録データを表示する旨の許可を上位装置から得たことを条件に、前記記憶部から読み出した前記記録データの全部または一部を前記表示部に表示させる指示を行う表示制御部とを備えている。
【発明の効果】
【０００６】
本発明によれば、無線タグの記録データを適正に閲覧することができる。
【発明を実施するための最良の形態】
【０００７】
図１は、本発明の実施の形態に係る携帯型コンピュータを含む全体のシステムを示すブロック図である。ここでは、眼鏡型ヘッドマウントディスプレイのウェアラブルコンピュータを携帯型コンピュータに用いた場合を例にして説明する。
図１において、ウェアラブルコンピュータ１は、眼鏡型ヘッドマウントディスプレイ（表示部）を装備したコンピュータであり、利用者（操作者）に装着されている。そして、このウェアラブルコンピュータ１は、無線タグ３に記録されている記録データを表示するようになっている。無線タグ３には、物品４が貼り付けられている。ここでは、管理対象であるドライバなどの作業工具を物品４とすることとし、これらの物品４は、所定の規定により、利用エリアや利用者などが予め定まっているものとする。
また、ウェアラブルコンピュータ１は、ＬＡＮ（Local Area Network）などの通信網５を介して、上位装置（サーバ装置）２に接続されている。
【０００８】
次に、ウェアラブルコンピュータ１の構成を詳述する。図２は、ウェアラブルコンピュータ１の構成を示すブロック図である。図２に示すように、ウェアラブルコンピュータ１は、ＲＦコントローラ（無線周波数コントローラ）１１、無線タグ用制御部１２、メモリ（記憶部）１３、表示制御部１４、インタフェース部１５、ヘッドマウントディスプレイ１６および計測部１７を有している。以下にこれを詳述する。
ＲＦコントローラ１１は、無線タグ３との通信を行うようになっている。無線タグ用制御部１２は、ＲＦコントローラ１１によって通信された無線タグ３に記録されている記録データをメモリ１３に書き込み、あるいはメモリ１３から読み出すようになっている。また、この無線タグ用制御部１２は、上位装置２との通信を行うようになっている。なお、メモリ１３上の一部のデータ構造については、後記の図４で詳述する。
表示制御部１４は、メモリ１３から無線タグ３の記録データを読み出し、ヘッドマウントディスプレイ１６に出力する。また、表示制御部１４は、インタフェース部１５を介して、上位装置２との通信を行うようになっている。インタフェース部１５は、上位装置２との通信を行うためのものである。
計測部１７は、例えば、ＧＰＳ（Global Positioning System）を用いて、利用者の位置を計測するようになっている。
【０００９】
次に、上位装置２の構成を詳述する。上位装置２は、サーバ装置であり、一般的なコンピュータの構成になっている。すなわち、上位装置２には、メモリなどの記憶装置とこれを制御する処理装置（ＣＰＵ）とを含んで構成されている。この記憶装置におけるデータ内容を図３に示す。
【００１０】
図３に示すように、記憶装置には、データ項目と利用制限項目とが格納されている。データ項目は、図１に示した無線タグ３に予め記録された記録データ中のデータ項目である。すなわち、無線タグ３の記録データは、データ項目を含んで構成されている。データ項目としては、例えば、物品４の品名、物品ＩＤ（物品の識別情報）、有効期限、貸出し期限、工具の収納場所などがある。ここでいう有効期限は、物品４を利用することが可能な期限を意味する。
また、利用制限項目は、図１に示した無線タグ３の記録データについての閲覧を制限するための項目であり、ここでは、予め指定された利用場所、作業者（利用者）およびウェアラブルコンピュータが設定されている。これにより、利用場所や作業者、ウェアラブルコンピュータに着目して、個別具体的に無線タグ３の記録データの閲覧を制限することが可能となる。この場合、図３に示した利用場所は、ＧＰＳにより特定される位置情報により特定され、図３の作業者は、利用者ＩＤ（利用者の識別情報）により特定されるようになっている。また、図３のウェアラブルコンピュータは、ウェアラブルコンピュータ１のコンピュータＩＤにより特定されるようになっている。
【００１１】
図４は、図２に示したウェアラブルコンピュータのメモリ上のデータ内容を示す図である。図４に示すように、メモリ１３上には、図３に示したデータ項目とその閲覧の可否を示す選択状況とが格納されている。図４に示す「選択」の項目中、丸印は、作業者によって閲覧が希望されていることを示している。図４では、例えば、品名の閲覧が希望されている。なお、図４に示したデータ項目とその選択の可否は、ウェアラブルコンピュータ１の不図示の入力デバイスを用いて行われる。
【００１２】
なお、図４では、データ項目のみが選択可能となっているが、図３に示した利用制限項目の可否についても自在に選択するようにしてもよい。仮に、利用制限項目の可否が選択された場合、その選択された利用制限項目の可否にしたがってデータ項目がヘッドマウントディスプレイ１６に表示されることとなる。例えば、図３の利用場所のみが選択された場合、その選択された利用場所の利用制限項目のみが有効になり、それ以外の利用制限項目は無効になる。
【００１３】
次に、前記したウェアラブルコンピュータ１を含む全体システムにおける全体的な処理手順について説明する。
図５は、ウェアラブルコンピュータを含む全体システムにおける全体的な処理手順を示す図である。ここでは、あるウェアラブルコンピュータ１を装着している作業者が、物品４に取り付けられている無線タグ３の記録データの全部または一部を閲覧しながら、作業現場を巡回する場合を例にして説明する。
まず、作業者は、ウェアラブルコンピュータ１を操作して、通信網５を介して上位装置２に対するログイン要求を行う（Ｓ４１）。ログイン要求では、作業者の利用者ＩＤが送信される。そうすると、上位装置２は、図３に示した記憶装置上の利用者とデータ項目との関係から、送信された利用者ＩＤの作業者に閲覧が許可されたデータ項目を記憶装置から読み出し、そのデータ項目をウェアラブルコンピュータ１に送信する。
この送信を受けて、図２に示したウェアラブルコンピュータ１の表示制御部１４は、上位装置２からのデータ項目を受信し（Ｓ４２）、その受信したデータ項目の中から、図４に示したメモリ１３に格納されている閲覧可のデータ項目を読み出して選択する（Ｓ４３）。
【００１４】
そして、作業者が物品４に近づき、図２に示したウェアラブルコンピュータ１のＲＦコントローラ１１が無線タグ３との通信を行う（Ｓ４４）。これにより、図２に示した無線タグ用制御部１２が、ＲＦコントローラ１１における通信により読み込まれた無線タグ３の記録データをメモリ１３に格納する。そして最終的に、表示制御部１４は、無線タグ用制御部１２によって読み込まれた無線タグ３の記録データに含まれるデータ項目のうち、Ｓ４３で選択されたデータ項目をメモリ１３から読み出してヘッドマウントディスプレイ１６に表示させる（Ｓ４５）。このようにして、表示制御部１４は、操作者に固有の情報である利用者ＩＤに応じて、記録データの全部または一部を選択して表示制限する。
なお、Ｓ４５の表示に際し、表示制御部１４は、作業者と無線タグ３との距離が予め設定された距離になったときに表示させるようにしてもよい。なお、作業者と無線タグとの距離は、例えば、無線タグ３との通信電波の強度により特定する。これにより、例えば、作業者が無線タグ３に近づいて通信電波が予め設定された強度になった場合にのみ、無線タグ３の記録データが表示されることとなる。
【００１５】
ここで、Ｓ４５によりデータ項目が表示されたヘッドマウントディスプレイ１６の表示例を図６に示す。図６によると、ヘッドマウントディスプレイ１６には、物品４のＩＤや品名などが表示画面ｄ１００に表示されている。これにより、作業者は、無線タグ３に記録されている記録データの一部を閲覧することとなり、例えば、物品４の置き忘れ防止を回避することが可能となる。
また、作業者だけに許可されている記録データを閲覧させるので、セキュリティを確保することが可能となる。したがって、作業者は、無線タグの記録データを適正に閲覧することができる。
さらに、作業者は、ペーパレスで物品４の管理を行えるので、有益である。また、作業者は、無線タグ３に貼り付けた紙に予めその無線タグ３の記録内容を印字することなく、ヘッドマウントディスプレイ１６を通じて無線タグ３の記録内容を確認することができ、有用である。また、このようにすることにより、運用コストの低減を図ることが可能となる。
【００１６】
［ヘッドマウントディスプレイにおける他の表示例］
次に、図２に示したヘッドマウントディスプレイ１６における他の表示例について説明する。例えば、図５に示したＳ４５において、図２の表示制御部１４は、図５のＳ４３で選択されたデータ項目をメモリ１３から読み出して、例えば図６に示した表示画面ｄ１００および図７に示す表示画面ｄ２００をヘッドマウントディスプレイ１６に表示させるようにしてもよい。図７に示した表示画面ｄ２００には、ドライバやスパナなどの作業工具とその作業工具の収納場所（Ａポイントなど）が表示されている。これにより、作業工具の管理が効率的に行え、有益である。
【００１７】
［他の閲覧制限の具体例（１）］
ここで、図５のＳ４２では、図２に示したウェアラブルコンピュータ１の表示制御部１４は、上位装置２から、利用者ＩＤの作業者に閲覧が許可されたデータ項目を受信したが、次のようなデータ項目を受信するようにしてもよい。
すなわち、図２の表示制御部１４は、作業者の利用場所で閲覧が許可されたデータ項目を受信してもよい。この場合、表示制御部１４は、図４のＳ４１のログイン要求の際に、計測部１７により計測された作業者の現在位置を示す位置情報を図１の上位装置２に送信する。そうすると、図１の上位装置２は、図３に示した記憶装置上の利用場所とデータ項目との関係から、表示制御部１４によって送信された利用場所（ここでは、現在位置に基づくもの）で閲覧が許可されたデータ項目を記憶装置から読み出し、そのデータ項目をウェアラブルコンピュータ１に送信することとなる。これにより、ウェアラブルコンピュータ１では、作業者の利用場所での閲覧が許可されたデータ項目をヘッドマウントディスプレイ１６に表示することとなり、作業者の利用場所、すなわち操作者の操作環境に着目して、無線タグ３の記録データの閲覧を制限することが可能となる。
【００１８】
［他の閲覧制限の具体例（２）］
さらに、図５のＳ４２では、図２に示したウェアラブルコンピュータ１の表示制御部１４は、上位装置２から、次のようなデータ項目を受信するようにしてもよい。
すなわち、図２の表示制御部１４は、作業者が携帯しているウェアラブルコンピュータ１で閲覧が許可されたデータ項目を受信してもよい。この場合、表示制御部１４は、図４のＳ４１のログイン要求の際に、自己のコンピュータＩＤを図１の上位装置２に送信する。そうすると、図１の上位装置２は、図３に示した記憶装置上のコンピュータＩＤとデータ項目との関係から、表示制御部１４によって送信されたコンピュータＩＤのウェアラブルコンピュータ１で閲覧が許可されたデータ項目を記憶装置から読み出し、そのデータ項目をウェアラブルコンピュータ１に送信することとなる。これにより、ウェアラブルコンピュータ１では、そのコンピュータでの閲覧が許可されたデータ項目をヘッドマウントディスプレイ１６に表示することとなり、使用するウェアラブルコンピュータ１、すなわち操作者の操作環境に着目して、無線タグ３の記録データの閲覧を制限することが可能となる。
【００１９】
［ヘッドマウントディスプレイにおける他の表示の具体例］
前記した実施の形態においては、物品４をドライバなどの作業工具の場合について説明したが、例えば、ある作業工程で用いるプリント板としてもよい。
この場合、例えば、図３に示したデータ項目には、そのプリント板の有効期限、案件情報、プリント板の型式、レビジョン番号、有害物質含有情報、工程情報などの情報が含まれているとする。そうすると、図５に示したＳ４５において、図２の表示制御部１４は、図５のＳ４３で選択されたデータ項目をメモリ１３から読み出して、例えば図８に示した表示画面ｄ３００および表示画面ｄ４００をヘッドマウントディスプレイ１６に表示させることとなる。図８に示した表示画面ｄ３００には、プリント板のＩＤなどが表示され、図８に示した表示画面ｄ４００には、有害物質の含有量の程度（多い、少ない）に応じて色情報（赤など）で分類して表示される。これにより、作業者は、例えば、プリント板の有害物質の含有量を確認することが可能となり、有益である。
【００２０】
なお、本発明は、前記した実施の形態に限られない。ウェアラブルコンピュータ１の実施上の構成および処理手順は、既知の技術により変更することが可能である。例えば、ウェアラブルコンピュータ１は、時計型などとしてもよい。
【図面の簡単な説明】
【００２１】
【図１】本発明の実施の形態に係る携帯型コンピュータを含む全体のシステムを示すブロック図である。
【図２】図１のウェアラブルコンピュータの構成を示すブロック図である。
【図３】図１の上位装置に記憶されているデータ内容を示す説明図である。
【図４】図１のウェアラブルコンピュータのメモリに格納されているデータ内容を示す説明図である。
【図５】図１のウェアラブルコンピュータを含む全体システムにおける全体的な処理手順を示す図である。
【図６】図１のウェアラブルコンピュータのヘッドマウントディスプレイに表示される表示画面の一例を示す図である。
【図７】図６の表示画面とは別の表示画面の一例を示す図である。
【図８】図６および図７の表示画面とは別の表示画面の一例を示す図である。
【符号の説明】
【００２２】
１    ウェアラブルコンピュータ
２    上位装置
３    無線タグ
５    通信網
１２  無線タグ用制御部
１４  表示制御部
１６  ヘッドマウントディスプレイ
【図１】
2006106228.tif 000003
【図２】
2006106228.tif 000004
【図３】
2006106228.tif 000005
【図４】
2006106228.tif 000006
【図５】
2006106228.tif 000007
【図６】
2006106228.tif 000008
【図７】
2006106228.tif 000009
【図８】
2006106228.tif 000010